(57)【要約】【課題】省スペース化されたままで、より少ない負担で開口部を開いて広げることができるゴミ収納体を提供する。【解決手段】ゴミＧを収納する本体部３と、この本体部３に形成された開口部９を開閉する蓋部２と、上記開口部９を広げ得る扉部４とを備えたゴミ収納体１であって、上記蓋部２の動作と上記扉部４の動作とを連動させる連動機構５を備え、上記連動機構５により連動する、上記蓋部２の動作が開口部９を開く動作であり、上記扉部４の動作が開口部９を広げる動作であり、上記連動機構５が、インナーワイヤと、このワイヤを案内するアウターワイヤとを有し、上記インナーワイヤが、一方の端部を扉部４に接続するとともに、他方の端部を蓋部２に接続したものである。【選択図】図１
2015074542.tif 000002
【特許請求の範囲】
【請求項１】
ゴミを収納する本体部と、この本体部に形成された開口部を開閉する蓋部と、上記開口部を広げ得る扉部とを備えたゴミ収納体であって、
上記蓋部の動作と上記扉部の動作とを連動させる連動機構を備え、
上記連動機構により連動する、上記蓋部の動作が開口部を開く動作であり、上記扉部の動作が開口部を広げる動作であり、
上記連動機構が、ワイヤと、このワイヤを案内するワイヤ案内具とを有し、
上記ワイヤが、一方の端部を扉部に接続するとともに、他方の端部を蓋部に接続したものであることを特徴とするゴミ収納体。
【請求項２】
扉部が、蓋部の下方で、下方向に摺動して開口部を広げるものであり、
上記蓋部による開口部を開く動作が、ワイヤを介して、上記扉部の自重により補助されるように構成されたことを特徴とする請求項１に記載のゴミ収納体。
【請求項３】
扉部に、踏み込まれることで当該扉部を下方向に摺動させるペダルが設けられたことを特徴とする請求項２に記載のゴミ収納体。
【発明の詳細な説明】
【技術分野】
【０００１】
本発明は、集合住宅の屋外ゴミ集積所などに設置されるゴミ収納体に関するものである。
【背景技術】
【０００２】
ゴミ収納体は、集合住宅の屋外ゴミ集積所などに設置されて、その集合住宅における各世帯からのゴミを一時的に収納するための収納体である。ゴミ収納体に収納されたゴミは、ゴミ収集車により定期的に回収される。
【０００３】
従来から、ゴミ収納体は、収納されたゴミが鳥獣に荒らされず、また美観を維持するために、開閉式の蓋部を有している（例えば、特許文献１参照）。このような開閉式の蓋部は、通常時つまり「閉」の状態だと、図７（ａ）に示すように、ゴミ収納体１０１の前上部に位置してゴミ投入口を覆うが、ゴミ投入時つまり「開」の状態だと、図７（ｂ）に示すように、ゴミ収納体１０１の上部に持ち上げられてゴミ投入口８を露出させる。
【０００４】
また、ゴミ収納体１０１の開口部（ゴミ投入口８のうち蓋部２に覆われていない部分）９を広げることで、大型ゴミの投入、ゴミ収集車によるゴミＧの回収、およびゴミ収納体１０１の内部清掃が容易になる。このため、図７（ｂ）に示すように、上記蓋部２の下側に隣接する前扉部１０４を着脱自在に構成したゴミ収納体１０１も、広く流通している。
【０００５】
しかし、上記前扉部１０４はその前方に着脱用のスペースを必要するので、省スペース化されたゴミ収納体として、前扉部を上下方向に摺動自在に構成したものが提案されている（例えば、非特許文献１参照）。
【先行技術文献】
【特許文献】
【０００６】
【特許文献１】特開平１１−２０８８０５号公報
【非特許文献】
【０００７】
【非特許文献１】“クリーンストッカー”、［online］、平成２５年２月５日、株式会社ダイケン、［平成２５年９月１７日検索］、インターネット< http://www.daiken.ne.jp/new_products/pdf/p12.pdf >
【発明の概要】
【発明が解決しようとする課題】
【０００８】
しかしながら、上記非特許文献１に開示されたゴミ収納体の蓋部は重いので、この蓋部を持ち上げる操作、つまり開口部を開く（ゴミ投入口を露出させる）操作は、ゴミを持ったままの使用者にとって大きな負担となっていた。
【０００９】
特に、ゴミが大きな場合だと、開口部を広げるために、前扉部を下方向に摺動させる操作が必要となるが、この操作以外にも上記蓋部を持ち上げる操作が必要となるので、大きなゴミを持ったままの使用者にとって非常に大きな負担となっていた。
【００１０】
そこで、本発明は、省スペース化されたままで、より少ない負担で開口部を開いて広げることができるゴミ収納体を提供することを目的とする。
【課題を解決するための手段】
【００１１】
上記課題を解決するため、本発明の請求項１に係るゴミ収納体は、ゴミを収納する本体部と、この本体部に形成された開口部を開閉する蓋部と、上記開口部を広げ得る扉部とを備えたゴミ収納体であって、
上記蓋部の動作と上記扉部の動作とを連動させる連動機構を備え、
上記連動機構により連動する、上記蓋部の動作が開口部を開く動作であり、上記扉部の動作が開口部を広げる動作であり、
上記連動機構が、ワイヤと、このワイヤを案内するワイヤ案内具とを有し、
上記ワイヤが、一方の端部を扉部に接続するとともに、他方の端部を蓋部に接続したものである。
【００１２】
さらに、本発明の請求項２に係るゴミ収納体は、請求項１に記載のゴミ収納体における扉部が、蓋部の下方で、下方向に摺動して開口部を広げるものであり、
上記蓋部による開口部を開く動作が、ワイヤを介して、上記扉部の自重により補助されるように構成されたものである。
【００１３】
また、本発明の請求項３に係るゴミ収納体は、請求項２に記載のゴミ収納体における扉部に、踏み込まれることで当該扉部を下方向に摺動させるペダルが設けられたものである。
【発明の効果】
【００１４】
上記ゴミ収納体によると、省スペース化されたままで、より少ない負担で開口部を開いて広げることができる。
【図面の簡単な説明】
【００１５】
【図１】本発明の実施の形態に係るゴミ収納体の斜視図であり、（ａ）は通常時である「閉」の状態を示し、（ｂ）はゴミ投入時である「開」の状態を示す。
【図２】同ゴミ収納体の中央断面図であり、（ａ）は図１のＡ−Ａ断面を示し、（ｂ）は図１のＢ−Ｂ断面を示す。
【図３】同ゴミ収納体の「閉」の状態における拡大中央断面図である。
【図４】同ゴミ収納体の「開」の状態に至る拡大中央断面図である。
【図５】同ゴミ収納体の「開」の状態における拡大中央断面図である。
【図６】同ゴミ収納体の変形例を示す斜視図であり、（ａ）は「閉」の状態を示し、（ｂ）は「開」の状態を示す。
【図７】従来のゴミ収納体の斜視図であり、（ａ）は通常時である「閉」の状態を示し、（ｂ）はゴミ投入時である「開」の状態を示す。
【発明を実施するための形態】
【００１６】
以下、本発明の実施の形態に係るゴミ収納体について図面に基づき説明する。
このゴミ収納体は、概略的に説明すると、図１（ｂ）に示すように、投入されたゴミＧを一時的に収納するための収納体であり、開閉式の蓋部２を有する。この蓋部２は、通常時つまり「閉」の状態だと、図１（ａ）に示すように、ゴミ収納体１の前上部に位置してゴミ投入口を覆うが、ゴミ投入時つまり「開」の状態だと、図１（ｂ）に示すように、ゴミ収納体１の上部に持ち上げられてゴミ投入口８を露出させるものである。なお、以下では、上記ゴミ収納体１においてゴミＧを投入する側を前側として説明する。
【００１７】
上記ゴミ収納体１は、上記蓋部２の他に、ゴミＧを収納する本体部３と、上記蓋部２の下側に隣接し得る扉部４とを備える。
上記本体部３は、図１および図２に示すように、矩形状の底板３２と、この底板３２の左右辺からそれぞれ立設された左右の側板３３と、上記底板３２の後辺から立設された背板３５と、上記底板３２の前辺から立設された前板３６と、上記左右の側板３３および背板３５の上端に設けられた天板３７とを有する。上記側板３３は、矩形状の板の前上角をアール状Ｒに形成したものである。
【００１８】
上記扉部４は、上記本体部３における前板３６の直前上方から直前方まで上下方向に摺動自在に設けられている。具体的に説明すると、上記本体部３における左右の側板３３に、上記前板３６の直前上方から直前方まで亘る左右の鉛直レール３４が設けられている。そして、上記扉部４は、その左右端が、これら左右の鉛直レール３４に案内されるように配置されている。したがって、上記扉部４は、摺動する上下方向のうち、最も上の位置だと、図１（ａ）および図２（ａ）に示すように、その上端が「閉」の状態の蓋部２に接する。また、上記扉部４は、摺動する上下方向のうち、最も下の位置だと、図１（ｂ）および図２（ｂ）に示すように、その上端が上記本体部３における前板３６の上端と略同一の高さになる。
【００１９】
上記蓋部２は、上記本体部３における側板３３のアール状Ｒに沿うように湾曲した湾曲蓋板２２と、この湾曲蓋板２２の左右に設けられた左右の扇側板２３とを有する。上記湾曲蓋板２２の下部外面における左右端の中間には、図１によく示すように、把持具２７が取り付けられている。上記左右の扇側板２３は、図１（ｂ）および図２に示すように、それぞれ円弧部２４および中心角部２５を有する扇形であり、当該円弧部２４が上記湾曲蓋板２２の左右端部内面にそれぞれ接合され、当該中心角部２５が上記本体部３における左右の側板３３に回転自在に支持される。したがって、上記蓋部２は、図２に示すように、その上記中心角部２５を中心にした回転により、開閉されるものである。また、上記中心角部２５には、蓋部２の「開閉」の端で回転を減速するために、回転ダンパー２６が設けられている。
【００２０】
そして、上記ゴミ収納体１の開口部９は、図１（ｂ）および図２（ｂ）に示すように、上記本体部３における左右の側板３３の間において、上記本体部３における天板３７の前端と、上記扉部４の上端とから形成される。したがって、上記開口部９は、上記蓋部２で開閉されるとともに、上記扉部４の摺動で広狭され得る。上記蓋部２の動作（開閉）と上記扉部４の動作（摺動）とは、それぞれ別個のものではなく、上記本体部３における左右の側板３３にそれぞれ設けられた連動機構５により連動される。
【００２１】
以下、本発明の要旨である上記連動機構５について、詳細に説明する。
上記連動機構５は、図３に示すように、扉部４の上部と蓋部２における扇側板２３の後部とを接続するインナーワイヤ（ワイヤである）５２と、このインナーワイヤ５２の外部を覆うアウターワイヤ（ワイヤ案内具の一例である）５３と、このアウターワイヤ５３を上記本体部３における側板３３に固定する固定具５４とを有する。
【００２２】
上記インナーワイヤ５２は、上記アウターワイヤ５３より長く、その分だけアウターワイヤ５３の内部で摺動可能にされている。また、インナーワイヤ５２の両端部５２ｏ，５２ｔは、トヨロックなどの掛け止め可能な形状にされている。上記インナーワイヤ５２およびアウターワイヤ５３の配置は、インナーワイヤの一端部５２ｏを扉部４に上方から接続するとともに、インナーワイヤの他端部５２ｔを扇側板２３に後方から接続するようにされている。すなわち、上記インナーワイヤ５２およびアウターワイヤ５３は、扉部４の自重（Ｗ）がインナーワイヤ５２を介して蓋部２を回転させるための引張力として作用するように配置される。言い換えれば、上記ゴミ収納体１は、蓋部２により開口部９を開く動作が、インナーワイヤ５２を介して、扉部４の自重（Ｗ）により補助されるように構成されている。上記インナーワイヤ５２と扇側板２３との接続位置は、上記中心角部２５の中心から所定距離ｌだけ離れている。この所定距離ｌは、インナーワイヤ５２で蓋部２を回転させるために必要な引張力（Ｔ）よりも、扉部４の自重（Ｗ）が僅かに小さくなるように適宜設計される。したがって、把持具２７により手動で蓋部２を開くのに必要な力は、上記必要な引張力（Ｔ）と上記自重（Ｗ）との僅かな差となる。ここで、上記自重（Ｗ）とは、上記扉部４の真の自重の他に、摩擦力など設計的に必要な他の要素なども含めたものである。一方で、上記インナーワイヤの他端部５２ｔと上記所定距離ｌのラインとがなす角αも、適切な鋭角となるように適宜設計される。
【００２３】
上記アウターワイヤ５３は、フレキシブルで細長く、内部にインナーワイヤ５２を通す管であり、内部における摩擦係数の小さいものが好ましい。
上記固定具５４は、アウターワイヤ５３を上記側板３３に固定するとともに、蓋部２および扉部４の動作を妨げないものであればよい。また、上記固定具５４は、一部を図示省略したが、実際にはアウターワイヤ５３の両端部も上記側板３３に固定している。なお、図示した固定具５４は一例であり、これに限定されるものではない。
【００２４】
上記左右の連動機構５と上記蓋部２における把持具２７との配置は、上記左右の連動機構５の中間に上記把持具２７が位置するようにされている。
以下、上記ゴミ収納体１の動作について説明する。
【００２５】
ゴミ収納体１の使用者は、一方の手でゴミＧを持ちつつ、他方の手で把持具２７を掴み、図３に示すように、蓋部２を開こうとする。この時、蓋部２を開くのに必要な力は、上記必要な引張力（Ｔ）と上記自重（Ｗ）との僅かな差なので、非常に小さくて済む。また、使用者が蓋部２を開くと、連動機構５により扉部４が自動的に下方向に摺動する。なお、把持具２７が、蓋部２における左右端の中間で且つ、左右の連動機構５の中間に位置するので、使用者の力がスムーズに蓋部２および左右の連動機構５に伝達される。
【００２６】
そして、図４に示すように、蓋部２を開くと、上記角αが直角に近づくので、上記必要な引張力（Ｔ）が小さくなる。このため、一旦蓋部２が開かれると、蓋部２をさらに開くのに必要な力は、さらに小さくて済むようになる。
【００２７】
その後、図５に示すように、蓋部２をさらに開くと、上記蓋部２の重心Ｃが上記中心角部２５より後方に移動するので、上記必要な引張力（Ｔ）がさらに小さくなる。こうなると、上記必要な引張力（Ｔ）が上記自重（Ｗ）を下回り、後は自動的に蓋部２が開かれる。そして、蓋部２が「開」の端に近づくと、回転ダンパー２６が作用して、蓋部２の回転（開方向）が減速される。
【００２８】
また、蓋部２を閉じる動作は、上述した蓋部２を開く動作の真逆となる。なお蓋部２が「閉」の端に近づくと、回転ダンパー２６が作用して、蓋部２の回転（閉方向）が減速される。
【００２９】
このように、上記ゴミ収納体１によると、蓋部２を開くのに必要な力は非常に小さくて済むので、負担をより少なくすることができる。また、蓋部２を開くだけで、連動機構５により扉部４が下方向に摺動するので、省スペース化されたままで、開口部９を開いて広げることができる。
【００３０】
また、連動機構５は、上記インナーワイヤ５２、アウターワイヤ５３および固定具５４から構成されるので、非常に簡素な構成になる。これにより、上記本体部３への上記インナーワイヤ５２およびアウターワイヤ５３の配置作業を、上記ゴミ収納体１の設置場所（ゴミ集積所など）でも容易に行うことができ、言い換えれば、現場施工を容易にすることができる。
【００３１】
さらに、使用者の力はスムーズに蓋部２および左右の連動機構５に伝達されるので、ゴミ収納体１への負荷が軽減され、ゴミ収納体１を長寿命化することができる。
ところで、上記実施の形態では、使用者が蓋部２の把持具２７を掴んで蓋部２を開くものとして説明したが、図６に示すように、扉部４にペダル４１を設け、ペダル４１を踏み込むことで扉部４を下方向に摺動させることにより、開口部９を開いて広げるものであってもよい。この場合、使用者はゴミ収納体１に対して手を使う必要がないので、負担をより一層少なくすることができる。
【符号の説明】
【００３２】
１  ゴミ収納体
２  蓋部
３  本体部
４  扉部
５  連動機構
２２  湾曲蓋板
２３  扇側板
２４  円弧部
２５  中心角部
２６  回転ダンパー
２７  把持具
３２  底板
３３  側板
３４  鉛直レール
３５  背板
３６  前板
３７  天板
４１  ペダル
【図１】
2015074542.tif 000003
【図２】
2015074542.tif 000004
【図３】
2015074542.tif 000005
【図４】
2015074542.tif 000006
【図５】
2015074542.tif 000007
【図６】
2015074542.tif 000008
【図７】
2015074542.tif 000009